(57)【要約】【課題】成形体をリングゲージに圧入する際において、かじりや折れといった不具合が発生しないシールリングの製造方法を提供する。【解決手段】本発明のシールリングの製造方法は、合い口を有する合成樹脂製のシールリングを製造する方法であり、合成樹脂を射出成形して合い口を有する略環状の成形体を得る成形工程と、該成形体を、金属製パイプの円柱状空間に圧入する圧入工程と、圧入された成形体の内径部に円柱状の樹脂製心棒を挿入し、これらを合成樹脂のガラス転移温度以上かつ融点未満の温度で加熱する熱固定工程とを備え、圧入工程は、複数の成形体を一つずつ金属製パイプに圧入するものであり、成形体Ｂ２を、金属製パイプＣ２の軸方向と成形体Ｂ２の径方向とが沿うように挿入した後、金属製パイプＣ２に対する成形体Ｂ２の向きを変え、軸方向に沿って金属製パイプＣ２の所定位置まで圧入する。【選択図】図４
2019105374.tif 000002
【特許請求の範囲】
【請求項１】
合い口を有する合成樹脂製のシールリングの製造方法であって、
合成樹脂を射出成形して前記合い口を有する略環状の成形体を得る成形工程と、前記成形体を、第１拘束部材の円柱状空間に圧入する圧入工程と、圧入された成形体の内径部に円柱状の第２拘束部材を挿入し、これらを前記合成樹脂のガラス転移温度以上かつ融点未満の温度で加熱する熱固定工程とを備え、
前記圧入工程は、複数の前記成形体を一つずつ前記第１拘束部材に圧入するものであり、前記成形体を、前記第１拘束部材の円柱状空間の軸方向と該成形体の径方向とが沿うように前記第１拘束部材に挿入した後、前記第１拘束部材に対する該成形体の向きを変え、前記第１拘束部材の円柱状空間の軸方向と該成形体の軸方向とが沿った状態で前記第１拘束部材の所定位置まで圧入することを特徴とするシールリングの製造方法。
【請求項２】
前記圧入工程において、前記第１拘束部材の軸方向と前記成形体の径方向とが沿うように該成形体の略半分を前記第１拘束部材に挿入した後、該第１拘束部材から突出した該成形体の残りの部分に該成形体の軸方向から倒し冶具を作用させて、該成形体の向きを変えることを特徴とする請求項１記載のシールリングの製造方法。
【請求項３】
前記圧入工程において、前記成形体の前記合い口を前記第１拘束部材側に向けた状態で、前記成形体を、前記第１拘束部材の軸方向と前記成形体の径方向とが沿うように挿入することを特徴とする請求項１または請求項２記載のシールリングの製造方法。
【請求項４】
前記圧入工程において、前記成形体の前記合い口を上に向けた状態で、前記成形体を、前記第１拘束部材の軸方向と前記成形体の径方向とが沿うように挿入することを特徴とする請求項１または請求項２記載のシールリングの製造方法。
【請求項５】
前記シールリングの合い口は複合ステップカットであることを特徴とする請求項１から請求項４までのいずれか１項記載のシールリングの製造方法。
【請求項６】
前記成形体を前記第１拘束部材の円柱状空間の軸方向と該成形体の径方向とが沿うように前記第１拘束部材に挿入する際において、前記成形体の前記合い口における一対の端部同士が軸方向で離れた状態で挿入することを特徴とする請求項１から請求項５までのいずれか１項記載のシールリングの製造方法。
【請求項７】
前記合成樹脂が、ポリエーテルケトン樹脂、ポリエーテルエーテルケトン樹脂、ポリエーテルケトンエーテルケトンケトン樹脂、ポリフェニレンサルファイド樹脂、または、ポリアミドイミド樹脂であることを特徴する請求項１から請求項６までのいずれか１項記載のシールリングの製造方法。
【発明の詳細な説明】
【技術分野】
【０００１】
本発明は、油圧作動油などの流体の流体圧を利用した機器において、該流体を封止するために使用される合成樹脂製のシールリングの製造方法に関する。
【背景技術】
【０００２】
ＡＴ、ＣＶＴなどの機器では、作動油を密封するためのオイルシールリングが要所に取り付けられている。例えば、ハウジングの軸孔に挿通される回転軸に設けられた対の離間した環状溝に取り付けられ、両環状溝間にある油路から供給される作動油を両シールリングの側面と内周面で受け、反対側の側面と外周面とで環状溝の側壁とハウジング内周面とをシールする。シールリングにおける各シール面は、環状溝の側壁、ハウジング内周面とそれぞれ摺動接触しつつ、両シールリング間の作動油の油圧を保持している。
【０００３】
従来、このようなシールリングとして、射出成形によって得られる合成樹脂製のシールリングが知られている。このシールリングは略矩形断面の環状体であり、周方向の一箇所に合い口を有する。合い口は、相補的に嵌合する一対の端部で構成され、例えば、一方の合い口は、シールリング内径面側に突き合わせ面と、外径面側に突き合わせ面から突出したリップおよび後退したポケットとを有し、他方の合口は、前記突き合わせ面、前記リップおよびポケットと、相補的に嵌合するように形成された突き合わせ面、ポケットおよびリップとを有する複合ステップカットの合い口などが採用されている。射出成形後の成形体においては、一対の端部が相互に離れた状態で形成される。しかし、この合い口が開いた状態のまま、成形体を回転軸に組み付けハウジングに挿入すると、かじりなどの組み付け不良が発生する懸念がある。
【０００４】
これの対処として、例えば特許文献１では、射出成形後に成形体の合い口を閉じるとともに外周形状をハウジングの内周形状に合わせる処理を行っている。具体的には、射出成形後に、成形体の合い口の間隔を狭めてリングゲージの内径部に圧入し、圧入された成形体の内径部に円柱体を挿入した後、一定時間高温雰囲気下にさらし円柱体を膨張させることで成形体の内側から強制力をかけ熱固定して合い口を閉じている。
【先行技術文献】
【特許文献】
【０００５】
【特許文献１】特開２００２−８９７１８号公報
【発明の概要】
【発明が解決しようとする課題】
【０００６】
ところで、従来の製造方法では、リングゲージの内径部に成形体を圧入する際において、軸方向に整列した複数の成形体を、リングゲージの軸方向に沿って一度にまとめて圧入している。そのため、圧入時の抵抗が大きくなり、かじりなどの不具合が発生するおそれがある。また、合い口における一対の端部同士が突き当り、特に複合ステップカットではリップ部の折れなどの不具合が発生するおそれもある。
【０００７】
本発明はこのような問題に対処するためになされたものであり、成形体をリングゲージに圧入する際において、かじりや折れといった不具合が発生しないシールリングの製造方法を提供することを目的とする。
【課題を解決するための手段】
【０００８】
本発明のシールリングの製造方法は、合い口を有する合成樹脂製のシールリングの製造方法であって、合成樹脂を射出成形して上記合い口を有する略環状の成形体を得る成形工程と、上記成形体を、第１拘束部材の円柱状空間に圧入する圧入工程と、圧入された成形体の内径部に円柱状の第２拘束部材を挿入し、これらを上記合成樹脂のガラス転移温度以上かつ融点未満の温度で加熱する熱固定工程とを備え、上記圧入工程は、複数の上記成形体を一つずつ上記第１拘束部材に圧入するものであり、上記成形体を、上記第１拘束部材の軸方向と該成形体の径方向とが沿うように上記第１拘束部材に挿入した後、上記第１拘束部材に対する該成形体の向きを変え、上記第１拘束部材の円柱状空間の軸方向と該成形体の軸方向とが沿った状態で上記第１拘束部材の所定位置まで圧入することを特徴とする。
【０００９】
上記圧入工程において、上記第１拘束部材の軸方向と上記成形体の径方向とが沿うように該成形体の略半分を上記第１拘束部材に挿入した後、該第１拘束部材から突出した該成形体の残りの部分に該成形体の軸方向から倒し冶具を作用させて、該成形体の向きを変えることを特徴とする。
【００１０】
上記圧入工程において、上記成形体の上記合い口を上記第１拘束部材側に向けた状態で、上記成形体を、上記第１拘束部材の軸方向と上記成形体の径方向とが沿うように挿入することを特徴とする。あるいは、上記圧入工程において、上記成形体の上記合い口を上に向けた状態で、上記成形体を、上記第１拘束部材の軸方向と上記成形体の径方向とが沿うように挿入することを特徴とする。
【００１１】
上記シールリングの合い口は複合ステップカットであることを特徴とする。また、上記成形体を上記第１拘束部材の円柱状空間の軸方向と該成形体の径方向とが沿うように上記第１拘束部材に挿入する際において、上記成形体の上記合い口における一対の端部同士が軸方向で離れた状態で挿入することを特徴とする。
【００１２】
上記合成樹脂が、ポリエーテルケトン（ＰＥＫ）樹脂、ポリエーテルエーテルケトン（ＰＥＥＫ）樹脂、ポリエーテルケトンエーテルケトンケトン（ＰＥＫＥＫＫ）樹脂、ポリフェニレンサルファイド（ＰＰＳ）樹脂、または、ポリアミドイミド（ＰＡＩ）樹脂であることを特徴する。
【発明の効果】
【００１３】
本発明のシールリングの製造方法は、成形工程と、圧入工程と、熱固定工程とを備え、上記圧入工程は、複数の成形体を一つずつ第１拘束部材に圧入するものであるので、複数の成形体を一度にまとめて第１拘束部材に圧入する場合に比べて、圧入時の抵抗を低減でき、かじりなどが発生しない。また、成形体を、第１拘束部材の軸方向と該成形体の径方向とが沿うように挿入した後、第１拘束部材に対する該成形体の向きを変え、それぞれの軸方向が沿った状態で第１拘束部材の所定位置まで圧入するので、はじめから軸方向に沿って圧入する場合に比べて、合い口における一対の端部同士の突き当りなどを防止できる。これにより、成形体を圧入する際において、かじりや特にリップ部の折れといった不具合が発生しない。
【００１４】
圧入工程において、第１拘束部材の軸方向と成形体の径方向とが沿うように成形体の略半分を第１拘束部材に挿入した後、該第１拘束部材から突出した該成形体の残りの部分に該成形体の軸方向から倒し冶具を作用させて、該成形体の向きを変えるので、成形体に大きな力を与えることなく、簡便な方法で成形体の向きを変えることができる。
【００１５】
圧入工程において、成形体の合い口を第１拘束部材側に向けた状態で、成形体を、第１拘束部材の軸方向と成形体の径方向とが沿うように挿入するので、第１拘束部材に挿入する際や成形体の向きを変える際に、成形体の合い口が第１拘束部材の端部に接触することを防ぐことができる。
【００１６】
また、圧入工程において、成形体の合い口を上に向けた状態で、成形体を、第１拘束部材の軸方向と成形体の径方向とが沿うように挿入するので、成形体の合い口における一対の端部同士が軸方向で離れた状態で重ならないように挿入することが容易である。
【００１７】
成形体を第１拘束部材の円柱状空間の軸方向と該成形体の径方向とが沿うように第１拘束部材に挿入する際において、成形体の合い口における一対の端部同士が軸方向で離れた状態で重ならないように挿入するので、軸方向に沿って圧入する際に、一対の端部同士が突き当たって折れなどが生じることを防ぐことができる。
【００１８】
シールリングの合い口が複合ステップカットであるので、シール性が特に優れる。また、合成樹脂が、ＰＥＫ樹脂、ＰＥＥＫ樹脂、ＰＥＫＥＫＫ樹脂、ＰＰＳ樹脂、または、ＰＡＩ樹脂であるので、曲げ弾性率、耐熱性などに優れ、溝に組み込む際に拡径しても割れることがなく、シールする作動油の油温が高くなる場合でも使用できる。
【図面の簡単な説明】
【００１９】
【図１】シールリングの一形態を示す斜視図である。
【図２】図１のシールリングを環状溝に組み込んだ状態を示す断面図である。
【図３】成形体における合い口の拡大図である。
【図４】本発明の製造方法の概略を示す図である。
【図５】図４のステップｂの状態を軸方向から見た図である。
【図６】圧入時の合い口のリップ部の状態を示す図である。
【図７】熱固定工程における金属パイプ内の状態の概略図である。
【図８】従来の製造方法の概略を示す図である。
【発明を実施するための形態】
【００２０】
本発明の製造方法によって製造される合成樹脂製のシールリングの一形態を図１に基づいて説明する。図１に示すように、シールリング１は、断面が略矩形の環状体である。リング内周面１ａとリングの両側面２との角部は直線状、曲線状の面取りが設けられていてもよく、シールリングを射出成形で製造する場合、該部分に金型からの突出し部分となる段部を設けてもよい。また、シールリング１は、周方向の一箇所に合い口３を有するカットタイプのリングであり、弾性変形により拡径して後述の環状溝に装着される。合い口３は一対の端部３１、３１’から構成される。一対の端部３１、３１’の形状については、ストレートカット型、アングルカット型などにすることも可能であるが、オイルシール性に優れることから、図１に示す複合ステップカット型を採用することが好ましい。
【００２１】
シールリングの大きさ（外径や内径、幅、厚みなど）は、用途などによって適宜設定される。例えば、シールリングの内径は１２〜７５ｍｍであり、外径は１５〜８０ｍｍである。
【００２２】
シールリングの使用形態の概略を図２に基づいて説明する。シールリング１は、ハウジング５の軸孔５ａに挿通される回転軸４に設けられた環状溝４ａに装着される。図中の矢印が作動油からの圧力が加わる方向であり、図中右側が非密封流体側である。シールリング１は、そのリング側面２で、環状溝４ａの非密封流体側の側壁面４ｂに摺動自在に接触している。また、その外周面１ｂで軸孔５ａの内周面に接触している。このシール構造により、回転軸４と軸孔５ａとの間の環状隙間を封止している。また、作動油は用途に応じた種類が適宜用いられる。例えば、油温として−３０〜１５０℃程度、油圧として０〜３．０ＭＰａ程度、回転軸の回転数として０〜７０００ｒｐｍ程度の条件で使用される。
【００２３】
本発明のシールリングの製造方法は、上記シールリングを製造する方法である。本発明の製造方法は、以下の（ａ）〜（ｃ）の３つの工程を少なくとも備える。すなわち、（ａ）合成樹脂を射出成形して成形体を得る成形工程と、（ｂ）得られた成形体を第１拘束部材の円柱状空間に圧入する圧入工程と、（ｃ）圧入された成形体の内径部に円柱状の第２拘束部材を挿入し、これらを所定温度で加熱する熱固定工程とを備える。なお、本発明において、成形体とは熱固定前のものを指し、シールリングとは熱固定後のものを指す。以下に、各工程について説明する。
【００２４】
＜（ａ）成形工程＞
成形工程は、合成樹脂を溶融混練して得た成形用ペレットを用いて、周知の射出成形法により略環状の成形体を得る工程である。
【００２５】
合成樹脂としては、例えば、熱可塑性ポリイミド樹脂、ＰＥＫ樹脂、ＰＥＥＫ樹脂、ＰＥＫＥＫＫ樹脂、全芳香族ポリエステル樹脂、テトラフルオロエチレン−パーフルオロアルキルビニルエーテル共重合体（ＰＦＡ）樹脂等の射出成形可能な溶融フッ素樹脂、ＰＰＳ樹脂、ＰＡＩ樹脂、ポリアミド樹脂などを用いることができる。これらの中でも特に、摩擦摩耗特性、曲げ弾性率、耐熱性、摺動性などに優れる、ＰＥＫ樹脂、ＰＥＥＫ樹脂、ＰＥＫＥＫＫ樹脂、ＰＰＳ樹脂、または、ＰＡＩ樹脂を用いることが好ましい。これらの樹脂は高い弾性率を有するため環状溝に組み込む際に拡径しても割れることがなく、また、耐熱性に優れるため作動油の油温が高くなる場合でも使用することができる。
【００２６】
また、必要に応じて合成樹脂に、炭素繊維、ガラス繊維、アラミド繊維などの繊維状補強材、球状シリカや球状炭素などの球状充填材、マイカやタルクなどの鱗状補強材、チタン酸カリウムウィスカなどの微小繊維補強材を配合できる。また、ポリテトラフルオロエチレン（ＰＴＦＥ）樹脂、グラファイト、二硫化モリブデンなどの固体潤滑剤、リン酸カルシウム、硫酸カルシウムなどの摺動補強材、カーボンブラックなども合成樹脂に配合できる。
【００２７】
射出成形では、金型に形成されたキャビティにゲートから溶融樹脂を注入する。ゲート位置は特に限定されないが、シール性の確保の観点および後加工が不要になることからリング内周面に設けることが好ましい。さらに、射出成形における流動バランスの観点から、リング全長の中央部に設けることがより好ましい。
【００２８】
図３には、射出成形後における成形体の合い口の拡大図を示す。図３（ａ）において、成形体の合い口３は複合ステップカットである。合い口３において、一方の端部３１は、内周面側に突き合わせ部３１ａと、外周面側に突き合わせ部３１ａから突出したリップ部３１ｂおよび後退したポケット部３１ｃとを有する。他方の端部３１’は、突き合わせ部３１ａ、リップ部３１ｂ、およびポケット部３１ｃと、相補的に嵌合するように形成された突き合わせ部３１ａ’、ポケット部３１ｃ’、およびリップ部３１ｂ’とを有する。図３（ａ）に示すように、射出成形後の成形体は、合い口３が開いた状態となっている。この場合、一対のリップ部３１ｂ、３１ｂ’同士は離れており、成形体の径方向において互いに重ならない状態となっている。このような合い口３が開いた状態を、後述する熱固定工程によって閉じた状態とする（図３（ｂ））。
【００２９】
＜（ｂ）圧入工程＞
圧入工程は、射出成形によって得られた成形体を第１拘束部材の円柱状空間に圧入する工程である。この形態では、第１拘束部材として円筒状の金属製パイプを用いており、金属製パイプの内径部が円柱状空間に相当する。金属製パイプの内径は成形体の外径よりも小さく、シールリングの外径よりも僅かに大きい。金属製パイプの材質は、例えば、Ｓ４５Ｃが用いられる。
【００３０】
ここで、従来の圧入工程について図８を用いて説明する。まず、ステップａにて、略円柱状の金属製心棒Ａ１を準備する。金属製心棒の外径は、シールリングの内径よりも僅かに小さい。続くステップｂにて、金属製心棒Ａ１に射出成形後の成形体Ｂ１を挿入し、複数の成形体を軸方向に整列させる。この場合、各成形体は金属製心棒Ａ１の軸方向に沿って隙間なく配置される。例えば、一つの金属製心棒につき、５０〜１５０個の成形体が挿入される。続くステップｃにて、複数の成形体Ｂ１が装着された金属製心棒Ａ１を金属製パイプＣ１の内径部に圧入する。この場合、成形体は、金属製パイプＣ１の軸方向と該成形体の軸方向とが沿うように圧入される。ステップｄは金属製パイプＣ１に圧入された状態を示しており、各成形体は金属製パイプＣ１の内周面に保持されている。その後、ステップｅで、金属製心棒Ａ１を抜き、圧入が完了する。
【００３１】
従来の圧入工程において、図８のステップｂの複数の成形体が整列した状態を金属製心棒Ａ１の軸方向から見ると、成形体の外周面が外径側に突出したり、内径側に凹んだりし、成形体間で軸方向に凹凸が生じた状態となっている。そのため、続くステップｃで成形体Ｂ１を金属製パイプＣ１に圧入する際には、この凹凸に起因して、かじりなどの不具合が生じるおそれがある。また、複数の成形体を一度にまとめて圧入することから、圧入時の抵抗も大きくなり、それに伴う不具合の発生も懸念される。
【００３２】
これに対して、本発明の製造方法では、圧入工程を変更することで、圧入時の抵抗を小さくするなどして、かじりなどの不具合を防止している。本発明の製造方法における圧入工程を図４に基づいて説明する。まず、ステップａにて、金属製パイプＣ２を準備する。図４の金属製パイプＣ２は、図８の金属製パイプＣ１と同様のものである。
【００３３】
続く、ステップｂでは、成形機からロボットアームなどによって成形体Ｂ２を掴み、金属製パイプＣ２に成形体Ｂ２を１個ずつ挿入する。このとき、成形体Ｂ２を、金属製パイプＣ２の軸方向と成形体Ｂ２の径方向とが沿うように挿入する。すなわち、金属製パイプＣ２の軸方向に対して、成形体Ｂ２の軸方向が直交する向きとなるように成形体Ｂ２を挿入する。このように、成形体を縦向きの状態で金属製パイプに挿入することで、横向きの状態で挿入する場合に比べて、挿入時の抵抗を小さくすることができる。ロボットアームなどによって成形体Ｂ２を掴む際は、図６に示すように、合い口の一対のリップ部３１ｂ、３１ｂ’間において、軸方向に隙間Ｗが生じた状態で成形体Ｂ２を掴むことが望ましい。そうすることによって、成形体Ｂ２において合い口の一対のリップ部３１ｂ、３１ｂ’が軸方向で離れた状態（重ならない）で金属製パイプＣ２に挿入することができる。図５には、図４のステップｂの状態を成形体の軸方向からみた図を示す。図５に示すように、成形体Ｂ２の略半分は金属製パイプＣ２に挿入され、成形体Ｂ２の残りの略半分は金属製パイプから突出した状態となっている。金属製パイプＣ２の内径に、この内径寸法よりも自由状態での外径寸法が大きい成形体Ｂ２を挿入することで、成形体の外周面の周方向の２箇所（接触部）が金属製パイプＣ２の内周面に接触し、成形体が保持される。
【００３４】
なお、成形体を金属製パイプに挿入する際の成形体の合い口の向きは、特に限定されないが、合い口を上に向けた状態であれば、ロボットアームなどによって成形体Ｂ２を掴むときに、リップ部３１ｂ、３１ｂ’を軸方向で離れた状態で容易に掴むことができる。また、図５に示すように、成形体Ｂ２の合い口Ｂ２ａを金属製パイプ側に向けた状態（下に向けた状態）で、挿入することで、挿入の際や後続のステップｃで成形体の向きを変える際に、合い口の一対の端部が金属製パイプの端部に接触することを防止できる。
【００３５】
図４のステップｂの状態から、成形体Ｂ２の軸方向から倒し冶具Ｄを通過させることで、金属製パイプＣ２に対する成形体Ｂ２の向きを変える。つまり、金属製パイプから突出した成形体の略半分を押し倒すように倒し冶具Ｄを作用させて、接触部を支点に成形体を回転させ、成形体を縦向きの状態から横向きの状態に変える（ステップｃ）。この横向きの状態では、金属製パイプの軸方向に対して成形体の径方向は水平に近い斜めの状態（水平に対して５〜３５°の傾き）となる。なお、倒し冶具Ｄとしては、例えば、平板を水平面から所定角度（例えば、３０〜６０度）傾斜させた板や、円筒状のローラなどを用いることができる。
【００３６】
その後、ステップｄにおいて、成形体Ｂ２の上方から押し棒Ｅ（圧入冶具）を下降させることによって、成形体の軸方向を金属製パイプの軸方向と略一致させ、さらに、成形体Ｂ２を、軸方向に沿って金属製パイプＣ２の所定位置まで圧入する。ステップｂにおいて、成形体Ｂ２を金属製パイプＣ２に直角方向に挿入するとき、合い口の一対のリップ部が軸方向で離れた状態（重ならない）で挿入されているので、ステップｄでの押し棒Ｅによる成形体Ｂ２の圧入時に一対のリップ部が突き当たって折れることや、合い口が軸方向に逆向き（一方の端部のポケット部に他方の端部のリップ部が嵌合せずに両方のリップが重なった状態）に熱固定されることを防止することができる。
【００３７】
図４のステップｂ〜ステップｄを繰り返すことで、複数の成形体が金属製パイプの内径部に圧入され、圧入工程が完了する（ステップｅ）。この圧入工程の一連のステップでは、成形体は１個ずつ金属製パイプに圧入されるため、複数の成形体を一度に圧入する場合に比べて、圧入時の抵抗を低減することができる。なお、本発明の圧入工程では、従来の圧入工程で用いられる金属製心棒Ａ１は使用しない。
【００３８】
本発明の圧入工程では、第１拘束部材として円筒状の金属製パイプを用いたが、円柱状空間を有する部材であれば、形状や材質は特に限定されない。例えば、外形が角状の金属製パイプでもよく、また、材質が金属製でなくてもよい。
【００３９】
＜（ｃ）熱固定工程＞
熱固定工程は、圧入された成形体の内径部に円柱状の第２拘束部材を挿入し、これらを所定温度で加熱する工程である。
【００４０】
図７には、円柱状の第２拘束部材を挿入した状態の概略図を示す。図７は第１拘束部材内の成形体の状態を説明するために、第１拘束部材と成形体の一部をカットしたカット図である。図７では、円柱状の第２拘束部材として、樹脂製心棒Ｆを用いている。樹脂製心棒Ｆを構成する合成樹脂は、金属製パイプより線膨張係数が大きく、かつシールリングのベース樹脂のガラス転移温度よりも高い耐熱性を有する合成樹脂が用いられる。例えば、金属製パイプがＳ４５Ｃ製であり、シールリングのベース樹脂がＰＥＥＫ樹脂である場合、樹脂製心棒の合成樹脂としては、ＰＴＦＥ樹脂が用いられる。樹脂製心棒が挿入された状態で、一定時間高温雰囲気にすることで、熱固定を行う。熱固定では、樹脂製心棒の熱膨張により成形品の内側から強制力が加わり、金属製パイプと樹脂製心棒との間で、成形体が挟まれる。すなわち、高線膨張係数の樹脂製心棒で圧力をかけることで、成形体の形状を矯正する。なお、第２拘束部材の線膨張係数は、第１拘束部材の線膨張係数の５倍以上であることが望ましい。また、成形体の合成樹脂を含めた線膨張係数の関係は、第２拘束部材＞成形体の合成樹脂＞第１拘束部材の関係である。
【００４１】
熱固定工程では、成形体の内径部に樹脂製心棒が挿入された金属製パイプ（金属製パイプ全体）を電気炉などに投入し、成形品の合成樹脂のガラス転移点以上かつ融点未満の温度で加熱する。例えば、成形品の合成樹脂としてＰＥＥＫ樹脂を用いた場合には、１５０〜２５０℃で加熱し、ＰＰＳ樹脂を用いた場合には、１２０〜２００℃で加熱する。
【００４２】
熱固定工程によって、自由状態で射出成形後の開いた状態の合い口が閉じた状態に矯正され、外径寸法がハウジングの軸孔寸法と略同じになり、外径形状が真円に形成される。以上、（ａ）〜（ｃ）の工程により、図１に示すようなシールリング１が取得される。
【産業上の利用可能性】
【００４３】
本発明のシールリングの製造方法では、成形体をリングゲージに圧入する際において、かじりや折れといった不具合の発生を防止することができるので、シールリングの製造方法として広く利用できる。
【符号の説明】
【００４４】
１    シールリング
２    リング側面
３    合い口
４    回転軸
５    ハウジング
【図１】
2019105374.tif 000003
【図２】
2019105374.tif 000004
【図３】
2019105374.tif 000005
【図４】
2019105374.tif 000006
【図５】
2019105374.tif 000007
【図６】
2019105374.tif 000008
【図７】
2019105374.tif 000009
【図８】
2019105374.tif 000010